(57)【要約】【課題】内蔵メモリに記憶された画像データを誤って消去することを確実に防止する。【解決手段】シャッタボタン２８が全押しされて撮影処理が実行されると、システムコントローラ４０は、メモリカード３１が挿入されているか（ＳＷ３がＯＮにされているか）否かを判定する。ＳＷ３がＯＮにされていないと判定された場合、システムコントローラ４０は、メディアコントローラ５８を制御して、圧縮された画像データを画像ファイルとして、フラッシュメモリ５９の画像記憶領域５９ａに記憶させるとともに、プロテクト処理部６１は、この画像ファイルに対してプロテクト処理を施す。【選択図】図３
2007214681.tif 000002
【特許請求の範囲】
【請求項１】
装置本体内に内蔵され、撮影された画像データを記憶する第１の記憶媒体を備え、前記画像データが記憶される第２の記憶媒体が前記装置本体に着脱自在に装着される撮影装置において、
前記第２の記憶媒体の装着を検知する検知手段と、
前記検知手段によって前記第２の記憶媒体の装着が検知されない状態で撮影が行われた時に、前記第１の記憶媒体に記憶される前記画像データに対して、消去を禁止するプロテクト処理を施すプロテクト手段と、
を備えていることを特徴とする撮影装置。
【請求項２】
前記第２の記憶媒体に、前記画像データを記憶させるために必要な空き容量がない状態で撮影が行われた場合、前記画像データを前記第１の記憶媒体に記憶させるとともに、前記プロテクト手段は、前記画像データに対して前記プロテクト処理を施すことを特徴とする請求項１記載の撮影装置。
【請求項３】
前記画像データの消去を禁止するプロテクトを解除するプロテクト解除手段を備え、
前記プロテクト手段は、前記画像データを前記第１の記憶媒体に記憶させる時に、前記画像データに付加される属性情報のうち、消去禁止用のプロテクト属性を設定することによって、前記画像データに対して前記プロテクト処理を施し、前記プロテクト解除手段は、前記画像データが前記第２の記憶媒体に複写された時に、前記プロテクト属性を変更して、前記画像データのプロテクトを解除することを特徴とする請求項１または２記載の撮影装置。
【請求項４】
前記画像データの消去を禁止するプロテクトを解除するプロテクト解除手段を備え、
前記プロテクト手段は、前記画像データを前記第１の記憶媒体に記憶させる時に、前記画像データに付加される画像情報に、消去を禁止するプロテクト情報を記載することによって、前記画像データに対して前記プロテクト処理を施し、前記プロテクト解除手段は、前記画像データを第２の記憶手段に複写する際に、前記プロテクト情報を削除することによって、前記画像データのプロテクトを解除することを特徴とする請求項１または２記載の撮影装置。
【請求項５】
前記画像データが前記第２の記憶媒体に複写された後、前記第１の記憶媒体に記憶された前記画像データを消去することを特徴とする請求項１ないし４のいずれか記載の撮影装置。
【発明の詳細な説明】
【技術分野】
【０００１】
本発明は、装置本体内に内蔵された記憶媒体と、装置本体に対して着脱自在に挿入される記憶媒体との両方に、画像データを記憶させることが可能な撮影装置に関する。
【背景技術】
【０００２】
近年、ＣＣＤイメージセンサ等の固体撮像素子によって撮像された画像データを記憶媒体に記憶させる撮影装置であるデジタルカメラが一般に普及している。このようなデジタルカメラとしては、カメラ本体内に内蔵された内蔵記憶媒体（例えば、フラッシュメモリ）と、カメラ本体に着脱自在に挿入される外部記憶媒体（例えば、メモリカード）との両方に画像データを記憶させることが可能なものが知られている。
【０００３】
さらに、撮影時に画像データをカメラ本体内のフラッシュメモリに記憶させ、その後、ユーザによって選択された画像データをフラッシュメモリから読み出して、メモリカードに記憶させるデジタルカメラが知られている（例えば、特許文献１及び２参照）。
【０００４】
このようなデジタルカメラによれば、ユーザが選択した画像データのみがメモリカードに記憶されるため、失敗画像等の不要な画像データがメモリカードに記憶されてしまうことがない。しかしながら、前述のようなデジタルカメラでは、内蔵メモリに記憶された画像データをメモリカードに記憶させる前に、内蔵メモリに記憶された画像データを誤って消去してしまうという問題があった。
【０００５】
このような問題を解決するために、撮影を行う前に、画像データに対して、消去を禁止するプロテクトをかけるか否かを予め設定することが可能なデジタルカメラが知られている（特許文献１及び２参照）。このようなデジタルカメラでは、画像データに対してプロテクトをかけることを予め設定することによって、画像データを誤って消去してしまうことを防止できる。
【特許文献１】特開平８−１８６７９０号公報
【特許文献２】特開２００３−２０４４６７号公報
【特許文献３】特開平１１−２７６２７号公報
【特許文献４】特開２００５−１３０３９３号公報
【発明の開示】
【発明が解決しようとする課題】
【０００６】
しかしながら、上記特許文献１及び２に記載のデジタルカメラに対して、上記特許文献３及び４に記載のプロテクト処理を適用しても、画像データに対してプロテクトをかけることが、ユーザによって設定されていない場合、画像データを誤って消去してしまうという問題がある。
【０００７】
本発明は、上記事情に鑑みてなされたものであり、内蔵記憶媒体に記憶された画像データが外部記憶媒体に複写される前に、誤って消去してしまうことを確実に防止する撮影装置を提供することを目的とする。
【課題を解決するための手段】
【０００８】
上記課題を解決するために、本発明の撮影装置は、装置本体内に内蔵され、撮影された画像データを記憶する第１の記憶媒体を備え、前記画像データが記憶される第２の記憶媒体が前記装置本体に着脱自在に装着される撮影装置であり、前記第２の記憶媒体の装着を検知する検知手段と、前記検知手段によって前記第２の記憶媒体の装着が検知されない状態で撮影が行われた時に、前記第１の記憶媒体に記憶される前記画像データに対して、消去を禁止するプロテクト処理を施すプロテクト手段とを備えていることを特徴とするものである。
【０００９】
また、前記第２の記憶媒体に、前記画像データを記憶させるために必要な空き容量がない状態で撮影が行われた場合、前記画像データを前記第１の記憶媒体に記憶させるとともに、前記プロテクト手段は、前記画像データに対して前記プロテクト処理を施すことが好ましい。
【００１０】
さらに、前記画像データの消去を禁止するプロテクトを解除するプロテクト解除手段を備え、前記プロテクト手段は、前記画像データを前記第１の記憶媒体に記憶させる時に、前記画像データに付加される属性情報のうち、消去禁止用のプロテクト属性を設定することによって、前記画像データに対して前記プロテクト処理を施し、前記プロテクト解除手段は、前記画像データが前記第２の記憶媒体に複写された時に、前記プロテクト属性を変更して、前記画像データのプロテクトを解除することが好ましい。
【００１１】
また、前記画像データの消去を禁止するプロテクトを解除するプロテクト解除手段を備え、前記プロテクト手段は、前記画像データを前記第１の記憶媒体に記憶させる時に、前記画像データに付加される画像情報に、消去を禁止するプロテクト情報を記載することによって、前記画像データに対して前記プロテクト処理を施し、前記プロテクト解除手段は、前記画像データを第２の記憶手段に複写する際に、前記プロテクト情報を削除することによって、前記画像データのプロテクトを解除しても良い。
【００１２】
さらに、前記画像データが前記第２の記憶媒体に複写された後、前記第１の記憶媒体に記憶された前記画像データを消去することが好ましい。
【発明の効果】
【００１３】
本発明の撮影装置によれば、装置本体に対して着脱自在な第２の記憶媒体が、装置本体に装着されていない状態で撮影が行われた時に、装置本体内の第１の記憶媒体に画像データを記憶させるとともに、この画像データに対して、消去を禁止するプロテクト処理を施すので、第１の記録媒体に記憶された画像データを誤って消去することを確実に防止することができる。
【００１４】
また、第２の記憶媒体が装置本体に装着されていても、第２の記憶媒体に、画像データを記憶するのに必要な空き容量がない状態で撮影が行われた時に、第１の記憶媒体に画像を記憶させるとともにプロテクト処理を施すので、第１の記憶媒体に記憶された画像データを誤って消去することを確実に防止することができる。
【００１５】
さらに、第１の記憶媒体に記憶された画像データを第２の記憶媒体に複写した後、第１の記憶媒体に記憶された画像データが消去されるので、ユーザが画像データを削除するための操作を行わなくても、第１の記憶媒体に空き容量を確保することができる。
【発明を実施するための最良の形態】
【００１６】
図１に示すデジタルカメラ（撮影装置）１０は、カメラ本体１１の前面に、スライド操作可能なレンズバリア１２を備えている。このレンズバリア１２を開放位置（図１に示す位置）にスライドさせることによって、撮影レンズ１３、ストロボ発光部１４が前面に露呈される。また、カメラ本体１１の前面には、光学ファインダを構成するファインダ対物窓１５が設けられている。
【００１７】
前述のレンズバリア１２は、電源操作部材を兼用しており、前述の開放位置にスライド操作された時に、カメラ本体１１の電源がＯＮとなり、撮影レンズ１３及びストロボ発光部１４が遮蔽される遮蔽位置にスライド操作された時に、カメラ本体１１の電源がＯＦＦとなる。
【００１８】
また、図２に示すように、カメラ本体１１の背面には、画像を表示する表示手段であるＬＣＤ１６、光学ファインダを構成するファインダ接眼窓１７、複数の操作部材で構成される操作部１８が設けられている。ＬＣＤ１６は、スルー画、再生画像、及び各種設定画面等を表示する。
【００１９】
操作部１８は、切替ボタン２１、戻しボタン２２、送りボタン２３、ズームボタン２４、メニューボタン２５、キャンセルボタン２６、及び表示ボタン２７で構成されている。
【００２０】
切替ボタン２１は、静止画撮影モードと、動画撮影モードと、再生モードとを切り替える際に、スライド操作される。また、送りボタン２３及び戻しボタン２２は、再生モードにおいて、再生画像を順送り及び逆送りする際に、押圧操作される。ズームボタン２４は、光学撮影倍率を変更する際に、上下方向に押圧操作される。
【００２１】
メニューボタン２５は、メニュー画面をＬＣＤ１６に表示させる際に押圧操作される。また、キャンセルボタン２６は、メニュー画面内での各種設定操作を途中でやめる場合や、前画面に戻す場合に押圧操作される。表示ボタン２７は、ＬＣＤ１６のＯＮ、ＯＦＦを切り替える際に押圧操作される。
【００２２】
また、カメラ本体１１の上面には、シャッタボタン２８が設けられている。このシャッタボタン２８は、２段押しのボタンであり、このシャッタボタン２８が半押しされた時に、各種撮影準備処理が実行され、半押しよりさらに押し込まれて全押しされた時に、撮影処理が実行される。
【００２３】
カメラ本体１１の側面には、メモリカードスロット３０が設けられている。このメモリカードスロット３０には、画像データが記憶される第２の記憶媒体であるメモリカード３１が着脱自在に装填される。
【００２４】
次に、デジタルカメラ１０の電気的構成について説明する。図３に示すように、デジタルカメラ１０は、カメラ全体の制御を行う制御手段であるシステムコントローラ４０を備えている。このシステムコントローラ４０は、カメラ内の各部を制御するとともに、ＡＥ、ＡＦ、ＡＷＢ等の各種演算処理を行う。
【００２５】
このシステムコントローラ４０には、スイッチ（ＳＷ）１〜４、及び電源回路４１が接続されている。ＳＷ１は、シャッタボタン２８が半押しされた時にＯＮにされ、ＳＷ２は、シャッタボタン２８が全押しにされたときにＯＮにされる。また、ＳＷ３は、メモリカード３０がカメラ本体１１に装着されたことを検知する検知手段であり、メモリカードスロット３０にメモリカード３１が挿入された時にＯＮにされるスイッチである。また、ＳＷ４は、切替ボタン２１の操作に連動して、静止画撮影モード位置と、動画撮影モード位置と、再生モード位置とに切り替えられる。
【００２６】
システムコントローラ４０は、ＳＷ１からＯＮ信号を取得すると、画像データに基づいて、ＡＥ処理やＡＦ処理等の撮影準備処理を実行し、ＳＷ２からＯＮ信号を取得すると、撮影処理を実行する。また、システムコントローラ４０は、ＳＷ３からＯＮ信号を取得することによって、メモリカード３１が挿入されていることを検知する。さらに、システムコントローラ４０は、ＳＷ４から操作信号を取得して、これらの操作信号に対応する処理を実行する。
【００２７】
また、電源回路４１は、ＤＣ／ＤＣコンバータ等を含んで構成されており、ＳＷ５が接続されている。ＳＷ５は、レンズバリア１２のスライド操作によってＯＮ／ＯＦＦされる。電源回路４１は、ＳＷ５からＯＮ信号を取得した時に各部への電源供給を開始する。
【００２８】
撮影レンズ１３の背後には、光量を調節する絞り４３が配置されている。撮影レンズ１３には、レンズモータを含むレンズ駆動部４４が接続され、絞り４３には、アイリスモータを含む絞り駆動部４５が接続されている。レンズ駆動部４４及び絞り駆動部４５は、モータドライバ４２を介してシステムコントローラ４０に接続されている。システムコントローラ４０は、モータドライバ４２を制御することによって、レンズ駆動部４４及び絞り駆動部４５の駆動を制御する。
【００２９】
さらに、絞り４３の背後には、固体撮像素子であるＣＣＤイメージセンサ（以下、単にＣＣＤと称する）４６が配置されている。このＣＣＤ４６の受光面には、多数のフォトダイオードが二次元的に配列されており、撮影レンズ１３を透過した被写体光が、絞り４３によって光量が調節されて入射する。このＣＣＤ４６は、電荷蓄積時間を制御する、いわゆる電子シャッタ機能を有している。
【００３０】
各フォトダイオードに蓄積された信号電荷は、ＣＣＤドライバ４７から与えられるパルス信号に基づいて、その電荷量に応じた電圧信号（撮像信号）として順次に出力される。ＣＣＤ４６から出力された撮像信号は、相関二重サンプリング回路（ＣＤＳ）４８、オートゲインコントロール・アンプ（ＡＭＰ）４９、およびＡ／Ｄ変換器５０からなるアナログ信号処理回路５１に入力される。
【００３１】
ＣＤＳ４８は、撮像信号から、ＣＣＤ４６に起因するアンプ雑音とリセット雑音とを除去する。ＡＭＰ４９は、予め設定されたＩＳＯ感度に基づいて、撮像信号をゲイン調整する。Ａ／Ｄ変換器５０は、撮像信号をデジタル信号に変換する。
【００３２】
タイミングジェネレータ（ＴＧ）５２は、システムコントローラ４０の指令に基づいて、ＣＣＤドライバ４７およびアナログ信号処理回路５１に対してタイミング信号を与えており、このタイミング信号によって各回路の同期がとられている。
【００３３】
アナログ信号処理部５１は、バス５３を介してＳＤＲＡＭ５４に接続されている。ＣＣＤ４６から出力された１画面分の撮像信号は、アナログ信号処理回路５１によって処理が施された後、バス５３を介してＳＤＲＡＭ５４に格納される。アナログ信号処理回路５１から出力された１画面分の撮像信号は、ＣＣＤＲＡＷデータと呼ばれ、ＳＤＲＡＭ５４には、撮影処理時の高解像度のＣＣＤＲＡＷデータや、スルー画用の低解像度のＣＣＤＲＡＷデータが格納される。
【００３４】
また、バス５３には、システムコントローラ４０、アナログ信号処理回路５１、ＳＤＲＡＭ５４の他に、デジタル信号処理回路５５、ＬＣＤドライバ５６、圧縮伸張処理回路５７、メディアコントローラ５８、及び第１の記憶媒体であるフラッシュメモリ５９が接続されている。システムコントローラ４０は、バス５３を介してこれらを制御するとともに、相互間でデータの授受が可能である。
【００３５】
デジタル信号処理回路５５は、ＳＤＲＡＭ５４に格納されたＣＣＤＲＡＷデータに対して、ＹＣ変換処理等のデジタル信号処理を施し、画像データを生成する。ＬＣＤ１６にスルー画を表示する場合、スルー画用の画像データは、システムコントローラ４０の指示に従って順次に読み出され、ＬＣＤドライバ５６を介して、スルー画としてＬＣＤ１６に表示される。撮影者は、ＬＣＤ１６に表示されるスルー画により被写体のフレーミングを行うことができる。
【００３６】
また、シャッタボタン２８が全押しされた場合、前述のＣＣＤ４６によって本露光が行われ、高解像度のＣＣＤＲＡＷデータが、ＳＤＲＡＭ５４に格納される。その後、デジタル信号処理回路５５は、ＳＤＲＡＭ５４に格納されたＣＣＤＲＡＷデータに対して、ＹＣ変換処理等のデジタル信号処理を施し、記録用の画像データを生成する。
【００３７】
圧縮伸張処理回路５７は、ＳＤＲＡＭ５４に格納された記録用の画像データに対して、所定の圧縮形式（例えばＪＰＥＧ形式）で圧縮処理を施す。その後、システムコントローラ４０は、メディアコントローラ５８を制御して、圧縮伸張処理回路５７によって圧縮された画像データに対して属性情報や画像情報等を付加して、画像ファイルとしてメモリカード３１に記録する。
【００３８】
また、システムコントローラ４０は、ＳＷ３からの検出信号に基づいて、メモリカードスロット３０にメモリカード３１が挿入されていないことを検知すると、メディアコントローラ５８を制御して、内蔵メモリであるフラッシュメモリ５９の画像記憶領域５９ａに、画像データを記憶させる。なお、メモリカードスロット３０にメモリカード３１が挿入されていても、メモリカード３１に、画像データを記憶するために必要な空き容量がない場合には、システムコントローラ４０は、メディアコントローラ５８を制御して、フラッシュメモリ５９の画像記憶領域５９ａに画像データを記憶させる。
【００３９】
また、フラッシュメモリ５９には、カメラ内の各部を制御するための制御プログラムが記憶されている。システムコントローラ４０は、フラッシュメモリ５９に記憶された制御プログラムをＳＤＲＡＭ５４にダウンロードし、ＰＣ（プログラムカウンタ）をＳＤＲＡＭ５４のアドレスに切り替えた後、この制御プログラムを実行することによって、各部を制御する。
【００４０】
また、前述のシステムコントローラ４０は、画像データが消去されることを禁止するプロテクト処理を画像データに施すプロテクト処理部６１と、このプロテクト処理部６１によって、プロテクト処理された画像データのプロテクトを解除するプロテクト解除部６２とを備えている。
【００４１】
プロテクト処理部６１は、撮影処理が実行され、画像データがフラッシュメモリ５９に記憶される時に、画像データに対してプロテクト処理を施す。その後、メモリカードスロット３０にメモリカード３１が挿入された場合や、画像データを記憶するだけの容量がメモリカード３１に確保された場合、システムコントローラ４０は、メディアコントローラ５８を制御して、フラッシュメモリ５９に記憶された画像データを読み出して、メモリカード３１に記憶させる。
【００４２】
プロテクト解除部６２は、フラッシュメモリ５９の画像データのうちメモリカード３１に複写された画像データのプロテクトを解除する。その後、システムコントローラ４０は、メディアコントローラ５８を制御して、フラッシュメモリ５９に記憶された画像データのうち、プロテクトが解除された画像データを消去する。
【００４３】
以下に、プロテクト処理、及びプロテクト解除処理について説明する。最初に、ＤＯＳ−ＦＡＴファイルシステムによって、画像ファイルが管理されている場合について説明する。図４は、周知のＤＯＳ−ＦＡＴファイルシステムの構造を示している。このようなＤＯＳ−ＦＡＴファイルシステムで画像ファイルを管理する場合、画像データに付加される属性情報のうち、消去禁止用のプロテクト属性を設定する。つまり、「ＤＩＲ領域」−「属性」−「属性情報」（６ビット）の「リードオンリーファイル」の属性値「０１ｈ」の値を「０」に設定した場合、プロテクトが解除された状態となり、「１」に設定した場合、プロテクトされた状態となる。
【００４４】
プロテクト処理部６１は、この属性値０１ｈを「０」から「１」に変更することによって、画像データをプロテクトして、画像データの消去を禁止する。また、プロテクト解除部６２は、属性値０１ｈを「１」から「０」に変更することによって、画像データのプロテクトを解除する。
【００４５】
次に、画像データをＥｘｉｆ画像ファイルとして記憶する場合について説明する。図５は、Ｅｘｉｆ規格の構造を示している。図５に示すように、Ｅｘｉｆ画像ファイルには、画像情報としてユーザ情報タグが設けられている。このユーザ情報タグは、メーカーが自由に使用できる領域である「ＭａｋｅｒＮｏｔｅ」を備えている。
【００４６】
この場合、プロテクト処理部６１は、「ＭａｋｅｒＮｏｔｅ」に対して、プロテクト情報を付加することによって、画像ファイルをプロテクトする。また、プロテクト解除部６２は、このプロテクト情報を削除することによって、画像ファイルのプロテクトを解除する。
【００４７】
次に、デジタルカメラ１０の作用について説明する。最初に、撮影された画像データをＤＯＳ−ＦＡＴファイルシステムの画像ファイルとして記憶させる場合について、図６のフローチャートを用いて説明する。システムコントローラ４０は、シャッタボタン２８が全押しされてＳＷ２がＯＮにされたか否かを判定する。ＳＷ２がＯＮにされていないと判定された場合、ＳＷ２がＯＮにされるまで待機状態となる。
【００４８】
また、ＳＷ２がＯＮにされたと判定された場合、システムコントローラ４０は、各部を制御して撮影処理を実行する。その後、システムコントローラ４０は、メモリカードスロット３０にメモリカード３１が挿入されているか否か、すなわちＳＷ３がＯＮにされているか否かを判定する。
【００４９】
ＳＷ３がＯＮにされていると判定された場合、システムコントローラ４０は、メディアコントローラ５８を制御して、圧縮された画像データを画像ファイルとして、メモリカード３１に記憶させて、撮影処理を終了する。
【００５０】
また、ＳＷ３がＯＮにされていないと判定された場合、システムコントローラ４０は、メディアコントローラ５８を制御して、圧縮された画像データを画像ファイルとして、フラッシュメモリ５９の画像記憶領域５９ａに記憶させるとともに、プロテクト処理部６１は、この画像ファイルに対してプロテクト処理を施して撮影処理を終了する。
【００５１】
前述の撮影処理の説明では、メモリカードスロット３０にメモリカード３１が挿入されていない場合に、画像ファイルをフラッシュメモリ５９に記憶させて、プロテクト処理を行う場合について説明したが、メモリカードスロット３０にメモリカード３１が挿入されていても、画像ファイルを記憶させるのに必要な空き容量がない場合には、同様に、フラッシュメモリ５９に記憶させて、画像ファイルに対してプロテクト処理を施す。
【００５２】
次に、上記撮影処理によって、プロテクト処理が施された画像ファイル対して行われるプロテクト解除処理について、図７のフローチャートを用いて説明する。システムコントローラ４０は、メモリカードスロット３０にメモリカード３１が挿入されたか否か、すなわち、ＳＷ３がＯＮにされているか否かを判定する。
【００５３】
ＳＷ３がＯＮにされていないと判定された場合、ＳＷ３がＯＮにされるまで待機状態となる。また、ＳＷ３がＯＮにされたと判定された場合、システムコントローラ４０は、メディアコントローラ５８を制御して、メモリカード３１の空き容量の情報を取得し、画像ファイルを記憶するのに必要な空き容量があるか否かを判定する。空き容量がないと判定された場合、プロテクト解除処理を終了する。
【００５４】
また、空き容量があると判定された場合、システムコントローラ４０は、フラッシュメモリ５９に記憶された画像ファイルに、プロテクト処理が施された画像ファイルがあるか否かを判定する。プロテクト処理が施された画像ファイルがないと判定された場合、プロテクト解除処理を終了する。
【００５５】
また、プロテクト処理が施された画像ファイルがあると判定された場合、システムコントローラ４０は、メディアコントローラ５８を制御して、フラッシュメモリ５９に記憶された画像データを読み出し、メモリカード３１に複写する。その後、プロテクト解除部６２は、複写が終了したフラッシュメモリ５９内の画像ファイルのプロテクトを解除する。
【００５６】
その後、システムコントローラ４０は、フラッシュメモリ５９内の全画像ファイルの複写が終了したか否かを判定する。複写が終了していないと判定された場合、メモリカード３１に空き容量があるか否かを判定する処理に戻る。また、複写が終了したと判定された場合、複写が終了したと判定された場合、システムコントローラ４０は、複写が終了した画像ファイルをフラッシュメモリ５９から消去する。
【００５７】
その後、システムコントローラ４０は、全画像ファイルの消去が完了したか否かを判定する。消去が完了していないと判定された場合、画像ファイルの消去処理を継続し、消去が終了したと判定された場合、プロテクト解除処理を終了する。
【００５８】
上記プロテクト解除処理の説明では、複写が終了した画像ファイルを自動的にフラッシュメモリ５９から消去する場合について説明したが、ユーザの操作によって、画像ファイルを消去しても良い。
【００５９】
次に、画像ファイルが、Ｅｘｉｆ画像ファイルとして記憶される場合の撮影処理について、図８のフローチャートを用いて説明する。システムコントローラ４０は、シャッタボタン２８が全押しされたか否か、すなわち、ＳＷ２がＯＮにされたか否かを判定する。ＳＷ２がＯＮにされていないと判定された場合、ＳＷ２がＯＮにされるまで待機状態となる。
【００６０】
また、ＳＷ２がＯＮにされたと判定された場合、システムコントローラ４０は、各部を制御して撮影処理を実行させる。その後、システムコントローラ４０は、メモリカードスロット３０にメモリカード３１が挿入されたか否か、すなわち、ＳＷ３がＯＮにされたか否かを判定する。
【００６１】
ＳＷ３がＯＮにされていないと判定された場合、システムコントローラ４０は、メディアコントローラ５８を制御して、圧縮処理が施された画像データを画像ファイルとしてメモリカード３１に記憶させて、撮影処理を終了する。
【００６２】
ＳＷ３がＯＮにされたと判定された場合、システムコントローラ４０は、ユーザ情報タグの「ＭａｋｅｒＮｏｔｅ」にプロテクト情報を付加するとともに、メディアコントローラ５８を制御して、圧縮処理が施された画像データを画像ファイルとして、フラッシュメモリ５９に記憶させて、撮影処理を終了する。
【００６３】
次に、上記撮影処理によって、フラッシュメモリ５９に記憶されたＥｘｉｆ規格の画像ファイルのプロテクト解除処理について、図９のフローチャートを用いて説明する。システムコントローラ４０は、メモリカードスロット３０にメモリカード３１が挿入されたか否か、すなわち、ＳＷ３がＯＮにされたか否かを判定する。ＳＷ３がＯＮにされていないと判定された場合、ＳＷ３がＯＮにされるまで待機状態となる。
【００６４】
また、ＳＷ３がＯＮにされたと判定された場合、システムコントローラ４０は、メディアコントローラ５８を制御して、メモリカード３１の空き容量の情報を取得し、画像ファイルを記憶されるのに必要な空き容量があるか否かを判定する。空き容量がないと判定された場合、プロテクト解除処理を終了する。
【００６５】
空き容量があると判定された場合、システムコントローラ４０は、フラッシュメモリ５９に記憶された画像ファイルのＥｘｉｆタグに消去防止タグが記載されているか否かを判定する。消去防止タグが記載されていないと判定された場合、プロテクト解除処理を終了する。
【００６６】
また、消去防止タグが記載されていると判定された場合、プロテクト解除部６２は、画像ファイルのＥｘｉｆタグの消去防止タグを解除することによって、プロテクトを解除する。その後、システムコントローラ４０は、メディアコントローラ５８を制御して、プロテクトが解除された画像ファイルをフラッシュメモリ５９からメモリカード３１に複写する。
【００６７】
その後、システムコントローラ４０は、フラッシュメモリ５９に記憶された全画像ファイルの複写が終了したか否かを判定する。複写が終了していないと判定された場合、メモリカード３１に空き容量があるか否かを判定する処理に戻る。複写が終了したと判定された場合、システムコントローラ４０は、複写が終了した画像ファイルをフラッシュメモリ５９から消去する。
【００６８】
その後、システムコントローラ４０は、全画像ファイルの消去が完了したか否かを判定する。消去が完了していないと判定された場合、画像ファイルの消去処理を継続し、消去が終了したと判定された場合、プロテクト解除処理を終了する。
【００６９】
上記プロテクト解除処理の説明では、複写が終了した画像ファイルを自動的にフラッシュメモリ５９から消去する場合について説明したが、ユーザの操作によって、画像ファイルを消去しても良い。
【００７０】
なお、上記実施形態において、本発明の撮影装置をデジタルカメラに適用した場合を例に説明したが、これに限るものではなく、例えば、本発明をデジタルビデオカメラに適用しても良い。
【図面の簡単な説明】
【００７１】
【図１】デジタルカメラの前面側の構成を示す斜視図である。
【図２】デジタルカメラの背面側の構成を示す斜視図である。
【図３】デジタルカメラの電気的構成を示すブロック図である。
【図４】ＤＯＳ−ＦＡＴファイルシステムの構造を示す説明図である。
【図５】Ｅｘｉｆ画像ファイルの構造を示す説明図である。
【図６】撮影処理を説明するフローチャートであり、ＤＯＳ−ＦＡＴファイルシステムの場合を示している。
【図７】プロテクト解除処理を説明するフローチャートであり、ＤＯＳ−ＦＡＴファイルシステムの場合を示している。
【図８】撮影処理を説明するフローチャートであり、Ｅｘｉｆ画像ファイルの場合を示している。
【図９】プロテクト解除処理を説明するフローチャートであり、Ｅｘｉｆ画像ファイルの場合を示している。
【符号の説明】
【００７２】
１０  デジタルカメラ
１１  カメラ本体
３１  メモリカード
４０  システムコントローラ
４６  ＣＣＤ
５９  フラッシュメモリ
６１  プロテクト処理部
６２  プロテクト解除部
【図１】
2007214681.tif 000003
【図２】
2007214681.tif 000004
【図３】
2007214681.tif 000005
【図４】
2007214681.tif 000006
【図５】
2007214681.tif 000007
【図６】
2007214681.tif 000008
【図７】
2007214681.tif 000009
【図８】
2007214681.tif 000010
【図９】
2007214681.tif 000011